【事件の表示】
　特願２０１０−１３６０５５「遊技機」拒絶査定不服審判事件〔平成２４年　１月　５日出願公開、特開２０１２−　　　１８７〕について、次のとおり審決する。
【結　論】
　本件審判の請求は、成り立たない。
【理　由】
　
第１　手続の経緯
　
　本願は、平成２２年６月１５日の出願であって、平成２４年６月２９日付けで手続補正がなされ、平成２５年１月１８日付けで拒絶査定がなされ、これに対し、同年４月２６日付けで拒絶査定に対する審判請求がなされると同時に特許請求の範囲及び明細書に係る手続補正がなされたものである。
　
　
第２　平成２５年４月２６日付けの手続補正についての補正却下の決定
　
［補正却下の決定の結論］
　
　平成２５年４月２６日付けの手続補正（以下「本件補正」という。）を却下する。
　
［理由］
　
１　補正の内容
　
　本件補正は、特許請求の範囲を補正する内容を含んでおり、本件補正により、特許請求の範囲の請求項１は、
　
「遊技領域に設けられ、遊技球の進入が可能な第１始動領域と、
　前記遊技領域に設けられ、遊技球の進入が困難な第１の態様と前記第１の態様に比して遊技球の進入が容易な第２の態様とに制御可能な第２始動領域と、
　前記第２始動領域が所定の割合で前記第２の態様に制御される通常遊技状態、または該通常遊技状態よりも前記第２始動領域が前記第２の態様に制御されやすい特定遊技状態のいずれかの遊技状態にて遊技の進行を制御する遊技制御手段と、
　前記第１始動領域または前記第２始動領域へ遊技球が進入したことを条件として、特別遊技の実行の有無が含まれる遊技利益を決定する遊技利益決定手段と、
　前記遊技利益決定手段による前記第１始動領域へ遊技球が進入したことに基づく前記遊技利益の決定、または前記第２始動領域へ遊技球が進入したことに基づく前記遊技利益の決定のいずれか一方に基づいて、図柄表示手段において図柄を変動表示させてから当該決定した遊技利益の内容を示す決定図柄を停止表示させる図柄表示制御手段と、
　前記図柄表示制御手段により前記図柄が変動表示させられているときに前記第１始動領域に遊技球が進入すると、当該図柄の変動表示が終了するまで前記遊技利益決定手段による決定を保留する保留手段と、
　前記遊技利益決定手段により第１の特別遊技の実行有りと決定された場合、前記遊技領域に設けられた特別可変入賞装置を所定の開閉態様で開閉させる第１の特別遊技を実行する第１特別遊技実行手段と、
　前記第１特別遊技実行手段による前記第１の特別遊技の実行中に前記特別可変入賞装置に入球した遊技球が特定領域に進入すると、遊技者に有利な第２の特別遊技を実行する第２特別遊技実行手段と、
　前記遊技利益決定手段により第３の特別遊技の実行有りと決定された場合、遊技者に有利な第３の特別遊技を実行する第３特別遊技実行手段と、を備え、
　前記遊技利益決定手段は、
　前記第１始動領域への遊技球の進入によって前記遊技利益を決定した場合よりも、前記第２始動領域への遊技球の進入によって前記遊技利益を決定した場合の方が、前記第１の特別遊技の実行有りと決定する確率が高く、
　前記遊技制御手段は、
　前記第２の特別遊技または前記第３の特別遊技の終了後に、前記特定遊技状態にて遊技の進行を制御可能な特定遊技状態制御手段と、
　前記特定遊技状態制御手段が前記特定遊技状態にて遊技の進行を制御した場合、前記第２始動領域へ遊技球が進入したことによる前記図柄の変動表示の回数が所定回数に到達したことを条件に前記通常遊技状態にて遊技の進行を制御する通常遊技状態制御手段と、を有することを特徴とする遊技機。」
　
から、
　
「遊技領域に設けられ、遊技球の進入が可能な第１始動領域と、
　前記遊技領域に設けられ、遊技球の進入が困難な第１の態様と前記第１の態様に比して遊技球の進入が容易な第２の態様とに制御可能な第２始動領域と、
　前記第２始動領域が所定の割合で前記第２の態様に制御される通常遊技状態、または該通常遊技状態よりも前記第２始動領域が前記第２の態様に制御されやすい特定遊技状態のいずれかの遊技状態にて遊技の進行を制御する遊技制御手段と、
　前記第１始動領域または前記第２始動領域へ遊技球が進入したことを条件として、特別遊技の実行の有無が含まれる遊技利益を決定する遊技利益決定手段と、
　前記遊技利益決定手段による前記第１始動領域へ遊技球が進入したことに基づく前記遊技利益の決定、または前記第２始動領域へ遊技球が進入したことに基づく前記遊技利益の決定のいずれか一方が
決定されると、
　前記図柄表示制御手段により前記図柄が変動表示させられているときに前記第１始動領域に遊技球が進入すると、
少なくとも
後に前記決定図柄が停止表示させられる
　前記遊技利益決定手段により第１の特別遊技の実行有りと決定された場合、
前記図柄表示制御手段によって当該第１の特別遊技が実行されることを示す第１の決定図柄が停止表示させられた後に、
　前記第１特別遊技実行手段による前記第１の特別遊技の実行中に前記特別可変入賞装置に入球した遊技球が特定領域に進入すると、遊技者に有利な第２の特別遊技を実行する第２特別遊技実行手段と、
　前記遊技利益決定手段により第３の特別遊技の実行有りと決定された場合、
前記図柄表示制御手段によって当該第３の特別遊技が実行されることを示す第２の決定図柄が停止表示させられた後に、
　前記遊技利益決定手段は、
　
前記図柄表示制御手段により前記第１の特別遊技および前記第３の特別遊技の何れの特別遊技も実行されないことを示す第３の決定図柄が停止表示させられると、当該第３の決定図柄の停止表示後に、前記保留手段によって前記遊技利益の決定が保留されているときには該保留されている決定を行い、
前記図柄表示制御手段により前記第１の決定図柄が停止表示させられると、前記第１特別遊技実行手段による前記第１の特別遊技の実行中に遊技球が前記特定領域に進入した場合には前記第２特別遊技実行手段による前記第２の特別遊技の実行終了後に、前記保留手段によって前記遊技利益の決定が保留されているときには該保留されている決定を行い、
　
前記図柄表示制御手段により前記第２の決定図柄が停止表示させられると、前記第３特別遊技実行手段による前記第３の特別遊技の実行終了後に、前記保留手段によって前記遊技利益の決定が保留されているときには該保留されている決定を行い、
　前記第１始動領域への遊技球の進入によって前記遊技利益を決定した場合よりも、前記第２始動領域への遊技球の進入によって前記遊技利益を決定した場合の方が、前記第１の特別遊技の実行有りと決定する確率が高く、
　前記遊技制御手段は、
　前記第２の特別遊技または前記第３の特別遊技の終了後に、前記特定遊技状態にて遊技の進行を制御可能な特定遊技状態制御手段と、
　前記特定遊技状態制御手段が前記特定遊技状態にて遊技の進行を制御した場合、
前記第１始動領域へ遊技球が進入したことによる前記図柄の変動表示と前記第２始動領域へ遊技球が進入したことによる前記図柄の変動表示との合計回数が予め設定された第１の回数に到達したこと、および、
前記第１の回数よりも少なく設定された第２の
のいずれか
　
に補正された（下線部は補正箇所を示す。）。
　
　上記補正は、補正前の請求項１に記載した発明を特定するために必要な事項である（ａ）「図柄表示制御手段」、（ｂ）「保留手段」、（ｃ）「第１特別遊技実行手段」、（ｄ）「第３特別遊技実行手段」、（ｅ）「遊技利益決定手段」、（ｆ）「通常遊技状態制御手段」について、それぞれ、（ａ）「遊技利益」が「決定される」処理の後に「図柄を変動表示」させる処理が行われる点、（ｂ）「少なくとも当該図柄の変動表示後に前記決定図柄が停止表示させられるまで」保留する点、（ｃ）「前記図柄表示制御手段によって当該第１の特別遊技が実行されることを示す第１の決定図柄が停止表示させられた後に」第１の特別遊技を実行する点、（ｄ）「前記図柄表示制御手段によって当該第３の特別遊技が実行されることを示す第２の決定図柄が停止表示させられた後に」第３の特別遊技を実行する点、（ｅ）「前記図柄表示制御手段により前記第１の特別遊技および前記第３の特別遊技の何れの特別遊技も実行されないことを示す第３の決定図柄が停止表示させられると、当該第３の決定図柄の停止表示後に、前記保留手段によって前記遊技利益の決定が保留されているときには該保留されている決定を行い、前記図柄表示制御手段により前記第１の決定図柄が停止表示させられると、前記第１特別遊技実行手段による前記第１の特別遊技の実行中に遊技球が前記特定領域に進入した場合には前記第２特別遊技実行手段による前記第２の特別遊技の実行終了後に、前記保留手段によって前記遊技利益の決定が保留されているときには該保留されている決定を行い、前記図柄表示制御手段により前記第２の決定図柄が停止表示させられると、前記第３特別遊技実行手段による前記第３の特別遊技の実行終了後に、前記保留手段によって前記遊技利益の決定が保留されているときには該保留されている決定を行」う点、（ｆ）「前記第１始動領域へ遊技球が進入したことによる前記図柄の変動表示と前記第２始動領域へ遊技球が進入したことによる前記図柄の変動表示との合計回数が予め設定された第１の回数に到達したこと、および、前記第２始動領域へ遊技球が進入したことによる前記図柄の変動表示の回数が前記第１の回数よりも少なく設定された第２の回数に到達したことのいずれかを条件に前記通常遊技状態にて遊技の進行を制御する」点を限定したものであるから、特許法第１７条の２第５項第２号の特許請求の範囲の減縮を目的とするものに該当する。
　
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
　
　
２　独立特許要件について
　
（１）刊行物に記載された発明
　
　原査定の拒絶の理由に引用文献１として引用された特開２００９−５０４１１号公報（以下「刊行物１」という。）には、次の記載がある（下線は審決で付した。以下同じ。）。
　
（１−ａ）「【特許請求の範囲】
【請求項１】
　遊技領域が形成された遊技盤と、
　前記
遊技領域の所定位置に設けられ、遊技球が入球可能な第１始動入賞口と、
　
前記遊技領域の所定位置に設けられ、遊技球が入球可能な第２始動入賞口と、
　
前記第１始動入賞口への遊技球の入球を契機として当否を決定するための第１抽選を実行する第１抽選手段と、
　
前記第２始動入賞口への遊技球の入球を契機として当否を決定するための第２抽選を実行する第２抽選手段と、
　前記第１抽選の結果を示す第１図柄を変動表示させる第１表示制御手段と、
　前記第２抽選の結果を示す第２図柄を変動表示させる第２表示制御手段と、
　前記遊技領域の所定位置に設けられ、前記第１抽選および前記第２抽選のうちいずれかが当たりを示す結果に該当したときに開放される大入賞口と、
　前記大入賞口の開放を伴う単位遊技を複数回含む特別遊技へ移行するための条件として特別遊技作動条件を保持する特別遊技作動条件保持手段と、
　前記
大入賞口の開放を伴う単位遊技である小当たり遊技
　
前記第１抽選または前記第２抽選が前記特別遊技への移行を示す結果となり、前記第１図柄または前記第２図柄が所定の大当たり態様で停止されたときに前記特別遊技作動条件が成立したとして前記特別遊技を実行する特別遊技制御手段と、
　
前記第１抽選または前記第２抽選が前記小当たり遊技への移行を示す結果となり、前記第１図柄または前記第２図柄が所定の小当たり態様で停止されたときに前記小当たり作動条件が成立したとして前記小当たり遊技を実行する特殊遊技制御手段と、
　
前記特別遊技制御手段は、前記小当たり遊技において前記大入賞口に入球した遊技球がさらにその内部に設けられた特定領域を通過した場合に前記特別遊技作動条件が成立したとして前記特別遊技を実行し、
　
前記第１抽選手段は、前記第１抽選において第１の小当たり移行確率にて前記小当たり遊技への移行を示す結果となり、
　
前記第２抽選手段は、前記第２抽選において前記第１の小当たり移行確率よりも高い第２の小当たり移行確率にて前記小当たり遊技への移行を示す結果となり、
　
前記特別遊技の終了後、前記第１図柄の変動表示回数および前記第２図柄の変動表示回数の合計が所定の合計上限回数に達すること、
を終了条件とする、
特定遊技を実行する特定遊技実行手段と、
　
前記特定遊技実行手段は、前記第２図柄の変動表示回数が前記合計上限回数と異なる所定の単独上限回数に達したときは前記終了条件を満たす前であっても前記特定遊技を終了させる
【請求項２】
　
前記単独上限回数は、前記合計上限回数より小さい
　
（１−ｂ）「【０００９】　
特定遊技実行手段は、特定遊技として、第２始動入賞口への入球容易性を高めてもよい。この場合の「特定遊技」は、図柄変動時間が概ね短縮されたり第２始動入賞口に設けられた開閉機構が開放されたりする変動時間短縮遊技と呼ばれる遊技状態であってもよいし、
　
（１−ｃ）「【００１６】  第１始動入賞口２４は、遊技球の入球を検出する入球検出装置３３を含む。第２始動入賞口２５は、遊技球の入球を検出する入球検出装置３４を含む。第２始動入賞口２５は、その入球する入口を拡開する普通電動役物７４と、その普通電動役物７４を開閉させる普通電動役物ソレノイド７６とを有し、その普通電動役物７４の開閉状態に応じて第２始動入賞口２５の入球容易性が変化する。すなわち、
第２始動入賞口２５は
普通電動役物７４が閉鎖状態にあると第２始動入賞口２５の入口が遮蔽され、普通電動役物７４が開放状態とならなければ入球しない構造となっている。
　
（１−ｄ）「【００３６】  
当否抽選手段１１２は、第１抽選手段１２６、第２抽選手段１２８
を含む。
　
（１−ｅ）「【００４０】  
保留制御手段１１６は、第１特別図柄１９２の変動表示中や特別遊技または小当たり遊技の実行中に第１始動入賞口２４への入球があったとき、その入球に対応する特図抽選値を
保留球として記憶する。
【００４１】  
メイン表示制御手段１１８は、第１特図制御手段１４８、第２特図制御手段１５０
を含む。第１特図制御手段１４８は、第１抽選手段１２６による抽選の結果を
第１特別図柄表示装置７０に表示させる。第２特図制御手段１５０は、第２抽選手段１２８による抽選の結果を
第２特別図柄表示装置７１に表示させる。第１特図制御手段１４８および第２特図制御手段１５０は、
変動開始コマンドと変動停止コマンドを演出表示制御手段１３４へ送信する
　
（１−ｆ）「【００４７】  
特定遊技実行手段１２２は、通常遊技における遊技状態を通常状態から特定遊技状態へ移行させる制御と、特定遊技状態から通常状態へ戻す制御を実行する。
　
（１−ｇ）「【００６４】  続いて、すでに図柄変動表示が開始されていれば（Ｓ３９のＹ）、図柄変動表示を処理し（Ｓ４０）、所定の変動時間が経過して
図柄表示の停止タイミングに達したときは（Ｓ４２のＹ）、表示中の図柄変動を停止して大当たりであれば特別遊技へ移行し、小当たりであれば小当たり遊技へ移行し（Ｓ４３）、
　
（１−ｈ）「【００６７】  続いて、すでに図柄変動表示が開始されていれば（Ｓ５８のＹ）、図柄変動表示を処理し（Ｓ５９）、
所定の変動時間が経過して図柄表示の停止タイミングに達したときは（Ｓ６０のＹ）、表示中の図柄変動を停止して大当たりであれば特別遊技へ移行し、小当たりであれば小当たり遊技へ移行し（Ｓ６１）、
　
　したがって、上記の事項を総合すると、刊行物１には、次の発明（以下「刊行物１発明」という。）が開示されていると認められる。
　
「遊技領域の所定位置に設けられ、遊技球が入球可能な第１始動入賞口と、
　前記遊技領域の所定位置に設けられ、普通電動役物が閉鎖状態にあると入口が遮蔽され、普通電動役物が開放状態にあると入球し得る、第２始動入賞口と、
　第２始動入賞口に設けられた普通電動役物が開放され、第２始動入賞口への入球容易性を高めた状態である特定遊技を実行し、通常遊技における遊技状態を通常状態から特定遊技状態へ移行させる制御と、特定遊技状態から通常状態へと戻す制御を実行する特定遊技実行手段と、
　前記第１始動入賞口への遊技球の入球を契機として当否を決定するための第１抽選を実行する第１抽選手段、及び、前記第２始動入賞口への遊技球の入球を契機として当否を決定するための第２抽選を実行する第２抽選手段を含む当否抽選手段と、
　第１抽選手段による抽選の結果を表示させる第１図柄の変動開始コマンドと変動停止コマンドを演出表示制御手段へ送信する第１特図制御手段、及び、第２抽選手段による抽選の結果を表示させる第２図柄の変動開始コマンドと変動停止コマンドを演出表示制御手段へ送信する第２特図制御手段を含むメイン表示制御手段と、
　第１図柄の変動表示中に第１始動入賞口への入球があったとき、その入球に対応する特図抽選値を保留球として記憶する保留制御手段と、
　前記第１抽選または前記第２抽選が小当たり遊技への移行を示す結果となり、前記第１図柄または前記第２図柄が所定の小当たり態様で停止されたときに小当たり作動条件が成立したとして、大入賞口の開放を伴う単位遊技である小当たり遊技を実行する特殊遊技制御手段と、
　前記第１抽選または前記第２抽選が特別遊技への移行を示す結果となり、前記第１図柄または前記第２図柄が所定の大当たり態様で停止されたときに特別遊技作動条件が成立したとして前記特別遊技を実行し、また、前記小当たり遊技において前記大入賞口に入球した遊技球がさらにその内部に設けられた特定領域を通過した場合に前記特別遊技作動条件が成立したとして前記特別遊技を実行する特別遊技制御手段と、を備え、
　図柄表示の停止タイミングに達したときは、表示中の図柄変動を停止して大当たりであれば特別遊技へ移行し、小当たりであれば小当たり遊技へ移行し、
　特別遊技または小当たり遊技の実行中に第１始動入賞口への入球があったとき、特図抽選値が保留球として記憶され、
　前記第１抽選手段は、前記第１抽選において第１の小当たり移行確率にて前記小当たり遊技への移行を示す結果となり、前記第２抽選手段は、前記第２抽選において前記第１の小当たり移行確率よりも高い第２の小当たり移行確率にて前記小当たり遊技への移行を示す結果となり、
　前記特定遊技実行手段は、前記特別遊技の終了後、特定遊技を実行するものであって、前記第１図柄の変動表示回数および前記第２図柄の変動表示回数の合計が所定の合計上限回数に達することを特定遊技の終了条件として、前記第２図柄の変動表示回数が前記合計上限回数より小さい所定の単独上限回数に達したときは前記終了条件を満たす前であっても前記特定遊技を終了させる、
弾球遊技機。」
　
　
（２）対比
　
　本願補正発明と刊行物１発明とを対比する。
　
ア　刊行物１発明における「遊技領域の所定位置に設けられ、遊技球が入球可能な第１始動入賞口」は、本願補正発明における「遊技領域に設けられ、遊技球の進入が可能な第１始動領域」に相当する。
　
イ　刊行物１発明における「普通電動役物が閉鎖状態にあると入口が遮蔽され」、「普通電動役物が開放状態にあると入球し得る」は、それぞれ、本願補正発明における「第１の態様」、「第２の態様」に相当するから、刊行物１発明における「前記遊技領域の所定位置に設けられ、普通電動役物が閉鎖状態にあると入口が遮蔽され、普通電動役物が開放状態にあると入球し得る、第２始動入賞口」は、「前記遊技領域に設けられ、遊技球の進入が困難な第１の態様と前記第１の態様に比して遊技球の進入が容易な第２の態様とに制御可能な第２始動領域」に相当する。
　
ウ　刊行物１発明における「通常状態」は、本願補正発明における「通常遊技状態」に相当し、また、刊行物１発明における「特定遊技状態」は、「第２始動入賞口に設けられた普通電動役物が解放され、第２始動入賞口への入球容易性を高めた状態」であるから、本願補正発明における「該通常遊技状態よりも前記第２始動領域が前記第２の態様に制御されやすい特定遊技状態」に相当する。
　そうすると、刊行物１発明における「第２始動入賞口に設けられた普通電動役物が開放され、第２始動入賞口への入球容易性を高めた状態である特定遊技を実行し、通常遊技における遊技状態を通常状態から特定遊技状態へ移行させる制御と、特定遊技状態から通常状態へと戻す制御を実行する特定遊技実行手段」は、「該通常遊技状態よりも前記第２始動領域が前記第２の態様に制御されやすい特定遊技状態」にて遊技の進行を制御する「遊技制御手段」であるといえる。
　そして、刊行物１発明において、「通常遊技状態（通常状態）」にて遊技の進行を制御する「遊技制御手段」を備えることは自明の事項である。
　したがって、刊行物１発明が、本願補正発明における「前記第２始動領域が所定の割合で前記第２の態様に制御される通常遊技状態、または該通常遊技状態よりも前記第２始動領域が前記第２の態様に制御されやすい特定遊技状態のいずれかの遊技状態にて遊技の進行を制御する遊技制御手段」を備えることは明らかである。
　
エ　刊行物１発明における「前記第１始動入賞口への遊技球の入球を契機として当否を決定するための第１抽選を実行する第１抽選手段、及び、前記第２始動入賞口への遊技球の入球を契機として当否を決定するための第２抽選を実行する第２抽選手段を含む当否抽選手段」は、本願補正発明における「前記第１始動領域または前記第２始動領域へ遊技球が進入したことを条件として、特別遊技の実行の有無が含まれる遊技利益を決定する遊技利益決定手段」に相当する。
　
オ　刊行物１発明における「第１図柄」及び「第２図柄」は、本願補正発明における「（図柄表示制御手段において変動表示させる）図柄」に相当するから、刊行物１発明における「第１抽選手段による抽選の結果を表示させる第１図柄の変動開始コマンドと変動停止コマンドを演出表示制御手段へ送信する第１特図制御手段、及び、第２抽選手段による抽選の結果を表示させる第２図柄の変動開始コマンドと変動停止コマンドを演出表示制御手段へ送信する第２特図制御手段を含むメイン表示制御手段」は、本願補正発明における「前記遊技利益決定手段による前記第１始動領域へ遊技球が進入したことに基づく前記遊技利益の決定、または前記第２始動領域へ遊技球が進入したことに基づく前記遊技利益の決定のいずれか一方が決定されると、図柄表示手段において図柄を変動表示させてから当該決定した遊技利益の内容を示す決定図柄を停止表示させる図柄表示制御手段」に相当する。
　
カ　刊行物１発明における「第１図柄の変動表示中に第１始動入賞口への入球があったとき、その入球に対応する特図抽選値を保留球として記憶する保留制御手段」と、本願補正発明における「前記図柄表示制御手段により前記図柄が変動表示させられているときに前記第１始動領域に遊技球が進入すると、少なくとも当該図柄の変動表示後に前記決定図柄が停止表示させられるまで前記遊技利益決定手段による決定を保留する保留手段」とは、「前記第１始動領域に遊技球が進入すると、前記遊技利益決定手段による決定を保留する保留手段」で共通する。
　
キ　刊行物１発明における「小当たり遊技」、「小当たり態様」、「大入賞口」は、それぞれ、本願補正発明における「第１の特別遊技」、「第１の決定図柄」、「特別可変入賞装置」に相当するから、刊行物１発明における「前記第１抽選または前記第２抽選が小当たり遊技への移行を示す結果となり、前記第１図柄または前記第２図柄が所定の小当たり態様で停止されたときに小当たり作動条件が成立したとして、大入賞口の開放を伴う単位遊技である小当たり遊技を実行する特殊遊技制御手段」は、本願補正発明における「前記遊技利益決定手段により第１の特別遊技の実行有りと決定された場合、前記図柄表示制御手段によって当該第１の特別遊技が実行されることを示す第１の決定図柄が停止表示させられた後に、前記遊技領域に設けられた特別可変入賞装置を所定の開閉態様で開閉させる第１の特別遊技を実行する第１特別遊技実行手段」に相当する。
　
ク　刊行物１発明における「大当たり態様」は、本願補正発明における「第２の決定図柄」に相当するから、刊行物１発明における「前記第１抽選または前記第２抽選が特別遊技への移行を示す結果となり、前記第１図柄または前記第２図柄が所定の大当たり態様で停止されたときに特別遊技作動条件が成立したとして前記特別遊技を実行し、また、前記小当たり遊技において前記大入賞口に入球した遊技球がさらにその内部に設けられた特定領域を通過した場合に前記特別遊技作動条件が成立したとして前記特別遊技を実行する」ことは、本願補正発明における「前記遊技利益決定手段により」「特別遊技の実行有りと決定された場合、前記図柄表示制御手段によって」「特別遊技が実行されることを示す第２の決定図柄が停止表示させられた後に、遊技者に有利な」「特別遊技を実行する」こと、及び、「前記第１特別遊技実行手段による前記第１の特別遊技の実行中に前記特別可変入賞装置に入球した遊技球が特定領域に進入すると、遊技者に有利な」「特別遊技を実行する」ことに相当する。
　したがって、刊行物１発明における「前記第１抽選または前記第２抽選が特別遊技への移行を示す結果となり、前記第１図柄または前記第２図柄が所定の大当たり態様で停止されたときに特別遊技作動条件が成立したとして前記特別遊技を実行し、また、前記小当たり遊技において前記大入賞口に入球した遊技球がさらにその内部に設けられた特定領域を通過した場合に前記特別遊技作動条件が成立したとして前記特別遊技を実行する特別遊技制御手段」と、本願補正発明における「前記第１特別遊技実行手段による前記第１の特別遊技の実行中に前記特別可変入賞装置に入球した遊技球が特定領域に進入すると、遊技者に有利な第２の特別遊技を実行する第２特別遊技実行手段」及び「前記遊技利益決定手段により第３の特別遊技の実行有りと決定された場合、前記図柄表示制御手段によって当該第３の特別遊技が実行されることを示す第２の決定図柄が停止表示させられた後に、遊技者に有利な第３の特別遊技を実行する第３特別遊技実行手段」とは、「前記第１特別遊技実行手段による前記第１の特別遊技の実行中に前記特別可変入賞装置に入球した遊技球が特定領域に進入すると、遊技者に有利な特別遊技を実行し、前記遊技利益決定手段により特別遊技の実行有りと決定された場合、前記図柄表示制御手段によって当該特別遊技が実行されることを示す第２の決定図柄が停止表示させられた後に、遊技者に有利な特別遊技を実行する特別遊技実行手段」で共通する。
　
ケ　刊行物１発明における「前記第１図柄または前記第２図柄が所定の小当たり態様で停止されたとき」は、本願補正発明における「前記図柄表示制御手段により前記第１の決定図柄が停止表示させられると」に相当する。
　したがって、刊行物１発明における「前記第１図柄または前記第２図柄が所定の小当たり態様で停止されたときに小当たり作動条件が成立したとして、大入賞口の開放を伴う単位遊技である小当たり遊技を実行する」こと、「前記小当たり遊技において前記大入賞口に入球した遊技球がさらにその内部に設けられた特定領域を通過した場合に前記特別遊技作動条件が成立したとして前記特別遊技を実行する」こと、及び、「特別遊技または小当たり遊技の実行中に第１始動入賞口への入球があったとき、特図抽選値が保留球として記憶され」ることと、本願補正発明における「前記図柄表示制御手段により前記第１の決定図柄が停止表示させられると、前記第１特別遊技実行手段による前記第１の特別遊技の実行中に遊技球が前記特定領域に進入した場合には前記第２特別遊技実行手段による前記第２の特別遊技の実行終了後に、前記保留手段によって前記遊技利益の決定が保留されているときには該保留されている決定を行」うこととは、「前記図柄表示制御手段により前記第１の決定図柄が停止表示させられると、前記第１特別遊技実行手段による前記第１の特別遊技の実行中に遊技球が前記特定領域に進入した場合には特別遊技実行手段による特別遊技の実行終了後に、前記保留手段によって前記遊技利益の決定が保留されている」ことで共通する。
　
コ　刊行物１発明における「前記第１図柄または前記第２図柄が所定の大当たり態様で停止されたとき」は、本願補正発明における「前記図柄表示制御手段により前記第２の決定図柄が停止表示させられると」に相当するから、刊行物１発明における「前記第１図柄または前記第２図柄が所定の大当たり態様で停止されたときに特別遊技作動条件が成立したとして前記特別遊技を実行」すること、及び、「特別遊技または小当たり遊技の実行中に第１始動入賞口への入球があったとき、特図抽選値が保留球として記憶され」ることと、本願補正発明における「前記図柄表示制御手段により前記第２の決定図柄が停止表示させられると、前記第３特別遊技実行手段による前記第３の特別遊技の実行終了後に、前記保留手段によって前記遊技利益の決定が保留されているときには該保留されている決定を行」うこととは、「前記図柄表示制御手段により前記第２の決定図柄が停止表示させられると、特別遊技実行手段による特別遊技の実行終了後に、前記保留手段によって前記遊技利益の決定が保留されている」ことで共通する。
　
サ　刊行物１発明における「前記第１抽選手段は、前記第１抽選において第１の小当たり移行確率にて前記小当たり遊技への移行を示す結果となり、前記第２抽選手段は、前記第２抽選において前記第１の小当たり移行確率よりも高い第２の小当たり移行確率にて前記小当たり遊技への移行を示す結果とな」ることは、本願補正発明における「前記第１始動領域への遊技球の進入によって前記遊技利益を決定した場合よりも、前記第２始動領域への遊技球の進入によって前記遊技利益を決定した場合の方が、前記第１の特別遊技の実行有りと決定する確率が高」いことに相当する。
　
シ　刊行物１発明における「前記特別遊技の終了後、特定遊技を実行する」「特定遊技実行手段」と、本願補正発明における「前記第２の特別遊技または前記第３の特別遊技の終了後に、前記特定遊技状態にて遊技の進行を制御可能な特定遊技状態制御手段」とは、「特別遊技の終了後に、前記特定遊技状態にて遊技の進行を制御可能な特定遊技状態制御手段」で共通する。
　
ス　刊行物１発明における「前記第１図柄の変動表示回数および前記第２図柄の変動表示回数の合計」、「合計上限回数」、「前記第２図柄の変動表示回数」、「単独上限回数」は、それぞれ、本願補正発明における「前記第１始動領域へ遊技球が進入したことによる前記図柄の変動表示と前記第２始動領域へ遊技球が進入したことによる前記図柄の変動表示との合計回数」、「第１の回数」、「前記第２始動領域へ遊技球が進入したことによる前記図柄の変動表示の回数」、「第２の回数」に相当する。
　また、上記ウで検討したとおり、刊行物１発明が、「通常遊技状態」にて遊技の進行を制御する「遊技制御手段」、すなわち、「通常遊技状態制御手段」を備えることは明らかである。
　したがって、刊行物１発明における「（前記特定遊技実行手段は）前記第１図柄の変動表示回数および前記第２図柄の変動表示回数の合計が所定の合計上限回数に達することを特定遊技の終了条件として、前記第２図柄の変動表示回数が前記合計上限回数より小さい所定の単独上限回数に達したときは前記終了条件を満たす前であっても前記特定遊技を終了させる」構成は、本願補正発明における「前記特定遊技状態制御手段が前記特定遊技状態にて遊技の進行を制御した場合、前記第１始動領域へ遊技球が進入したことによる前記図柄の変動表示と前記第２始動領域へ遊技球が進入したことによる前記図柄の変動表示との合計回数が予め設定された第１の回数に到達したこと、および、前記第２始動領域へ遊技球が進入したことによる前記図柄の変動表示の回数が前記第１の回数よりも少なく設定された第２の回数に到達したことのいずれかを条件に前記通常遊技状態にて遊技の進行を制御する」構成（「通常遊技状態制御手段」）に相当する。
　
セ　上記アないしスから、本願補正発明と刊行物１発明とは、
　
「遊技領域に設けられ、遊技球の進入が可能な第１始動領域と、
　前記遊技領域に設けられ、遊技球の進入が困難な第１の態様と前記第１の態様に比して遊技球の進入が容易な第２の態様とに制御可能な第２始動領域と、
　前記第２始動領域が所定の割合で前記第２の態様に制御される通常遊技状態、または該通常遊技状態よりも前記第２始動領域が前記第２の態様に制御されやすい特定遊技状態のいずれかの遊技状態にて遊技の進行を制御する遊技制御手段と、
　前記第１始動領域または前記第２始動領域へ遊技球が進入したことを条件として、特別遊技の実行の有無が含まれる遊技利益を決定する遊技利益決定手段と、
　前記遊技利益決定手段による前記第１始動領域へ遊技球が進入したことに基づく前記遊技利益の決定、または前記第２始動領域へ遊技球が進入したことに基づく前記遊技利益の決定のいずれか一方が決定されると、図柄表示手段において図柄を変動表示させてから当該決定した遊技利益の内容を示す決定図柄を停止表示させる図柄表示制御手段と、
　前記第１始動領域に遊技球が進入すると、前記遊技利益決定手段による決定を保留する保留手段と、
　前記遊技利益決定手段により第１の特別遊技の実行有りと決定された場合、前記図柄表示制御手段によって当該第１の特別遊技が実行されることを示す第１の決定図柄が停止表示させられた後に、前記遊技領域に設けられた特別可変入賞装置を所定の開閉態様で開閉させる第１の特別遊技を実行する第１特別遊技実行手段と、
　前記第１特別遊技実行手段による前記第１の特別遊技の実行中に前記特別可変入賞装置に入球した遊技球が特定領域に進入すると、遊技者に有利な特別遊技を実行し、
　前記遊技利益決定手段により特別遊技の実行有りと決定された場合、前記図柄表示制御手段によって当該特別遊技が実行されることを示す第２の決定図柄が停止表示させられた後に、遊技者に有利な特別遊技を実行する特別遊技実行手段と、を備え、
　前記図柄表示制御手段により前記第１の決定図柄が停止表示させられると、前記第１特別遊技実行手段による前記第１の特別遊技の実行中に遊技球が前記特定領域に進入した場合には特別遊技実行手段による特別遊技の実行終了後に、前記保留手段によって前記遊技利益の決定が保留されており、
　前記図柄表示制御手段により前記第２の決定図柄が停止表示させられると、特別遊技実行手段による特別遊技の実行終了後に、前記保留手段によって前記遊技利益の決定が保留されており、
　前記第１始動領域への遊技球の進入によって前記遊技利益を決定した場合よりも、前記第２始動領域への遊技球の進入によって前記遊技利益を決定した場合の方が、前記第１の特別遊技の実行有りと決定する確率が高く、
　前記遊技制御手段は、
　前記特別遊技の終了後に、前記特定遊技状態にて遊技の進行を制御可能な特定遊技状態制御手段と、
　前記特定遊技状態制御手段が前記特定遊技状態にて遊技の進行を制御した場合、前記第１始動領域へ遊技球が進入したことによる前記図柄の変動表示と前記第２始動領域へ遊技球が進入したことによる前記図柄の変動表示との合計回数が予め設定された第１の回数に到達したこと、および、前記第２始動領域へ遊技球が進入したことによる前記図柄の変動表示の回数が前記第１の回数よりも少なく設定された第２の回数に到達したことのいずれかを条件に前記通常遊技状態にて遊技の進行を制御する通常遊技状態制御手段と、を有することを特徴とする遊技機。」
の点で一致し、以下の点で相違する。
　
［相違点１］：
　「遊技利益の決定」の「保留」に関して、本願補正発明では、「前記第１始動領域へ遊技球が進入したこと」または「前記第２始動領域へ遊技球が進入したこと」に基づいていずれか一方の遊技利益が決定されると「図柄が変動表示させられているときに前記第１始動領域に遊技球が進入すると、少なくとも当該図柄の変動表示後に前記決定図柄が停止表示させられるまで前記遊技利益決定手段による決定を保留する」のに対し、刊行物１発明では、第１図柄の変動表示中（第１始動領域への遊技球の進入に基づく図柄の変動表示中）に第１始動入賞口（第１始動領域）への入球があったとき保留する点。
　
［相違点２］：
　「特別遊技実行手段」及び「特別遊技」に関して、本願補正発明では、「遊技球が特定領域に進入すると、遊技者に有利な第２の特別遊技を実行する第２特別遊技実行手段」と、「前記遊技利益決定手段により第３の特別遊技の実行有りと決定された場合」に「遊技者に有利な第３の特別遊技を実行する第３特別遊技実行手段」を備えるのに対し、刊行物１発明では、小当たり遊技（第１の特別遊技）の実行中に遊技球が特定領域を通過した場合と、当否抽選（遊技利益決定）が特別遊技への移行を示す結果となった場合のいずれも特別遊技を実行するものであって、第２の特別遊技と第３の特別遊技の区別がない点。
　
［相違点３］：
　「遊技利益決定手段」に関して、本願補正発明では、「前記図柄表示制御手段により前記第１の特別遊技および前記第３の特別遊技の何れの特別遊技も実行されないことを示す第３の決定図柄が停止表示させられると、当該第３の決定図柄の停止表示後に、前記保留手段によって前記遊技利益の決定が保留されているときには該保留されている決定を行」うのに対し、刊行物１発明では、図柄変動を停止して大当たりでも小当たりでもない場合の処理が特定されていない点。
　
［相違点４］：
　「遊技利益決定手段」に関して、本願補正発明では、「特別遊技の実行終了後に、前記保留手段によって前記遊技利益の決定が保留されているときには該保留されている決定を行」うのに対し、刊行物１発明では、特別遊技または小当たり遊技（第１の特別遊技）の実行中に第１始動入賞口（第１始動領域）への入球があったとき、特図抽選値が保留球として記憶されるが、当該保留球を用いた当否判定（遊技利益決定）処理がいつ行われるかが特定されていない点。
　
（３）判断
　
　上記相違点１ないし４について検討する。
　
（３−１）相違点１について
　
ア　遊技機の技術分野において、第１特別図柄及び第２特別図柄のいずれかの変動中に第１始動入賞口に入球した場合に、少なくとも当該変動が停止するまで保留を行うことは、本願の出願日前において周知である（例．特開２００７−２９２号公報（段落【００２７】、【００３３】）、特開２００９−８２５７１号公報（段落【００４７】、【０１３７】−【０１３９】）、特開２００９−２２６１５１号公報（段落【００１６】、【００３０】）参照。）。
　
イ　したがって、刊行物１発明において、上記相違点１に係る構成となすことは、当業者が上記アの周知技術に基づいて適宜なし得たことである。
　
（３−２）相違点２について
　
ア　本願補正発明においては、「第２の特別遊技」及び「第３の特別遊技」の遊技内容については特定されておらず、両者の遊技内容が同一であることを妨げる記載もないので、刊行物１発明における遊技球が特定領域を通過した場合の特別遊技、及び、当否抽選が特別遊技への移行を示す結果となった場合の特別遊技は、それぞれ、本願補正発明の「第２の特別遊技」及び「第３の特別遊技」に相当する。
　
イ　よって、刊行物１発明における特別遊技制御手段は、本願補正発明の「第２特別遊技実行手段」及び「第３特別遊技実行手段」に相当する機能を有している。
　
ウ　したがって、相違点２は、実質的な相違点ではない。
　
（３−３）相違点３について
　
ア　上記（２）キのとおり、刊行物１発明における「小当たり遊技」は、本願補正発明における「第１の特別遊技」に相当し、また、上記（３−２）のとおり、刊行物１発明における「当否抽選が特別遊技への移行を示す結果となった場合の特別遊技」は、本願補正発明における「第３の特別遊技」に相当する。
　
イ　遊技機の技術分野において、特別遊技に移行しない（はずれの）図柄の停止後に保留記憶に基づく変動を開始することは、本願の出願日前において周知である（例．上記特開２００９−２２６１５１号公報（段落【００３０】）、特開２０１０−４６３９８号公報（段落【０２４９】）、特開２０１０−８８６０２号公報（段落【００５８】）参照。）。
　
ウ　したがって、刊行物１発明において、上記相違点３に係る構成となすことは、当業者が上記イの周知技術に基づいて適宜なし得たことである。
　
（３−４）相違点４について
　
ア　遊技機の技術分野において、特別遊技の終了時点で保留されている決定を特別遊技後に行うことは、本願の出願日前において周知である（例．上記特開２００９−８２５７１号公報（段落【００４７】、【０１３３】）、特開２００６−５５２５６号公報（段落【０００２】）、特開２００５−１５２３２７号公報（段落【０００５】−【０００８】）参照。）。
　
イ　したがって、刊行物１発明において、上記相違点４に係る構成となすことは、当業者が上記アの周知技術に基づいて適宜なし得たことである。
　
（３−５）本願補正発明が奏する効果について
　
　本願補正発明が奏する効果は、当業者が刊行物１に記載された事項及び周知技術から予測し得る程度のものであって、格別のものではない。
　
（４）まとめ
　
　以上のとおり、本願補正発明は、当業者が刊行物１に記載された発明及び周知技術に基づいて容易に発明をすることができたものであるから、特許法第２９条第２項の規定により、特許出願の際独立して特許を受けることができない。
　
　
３　補正却下の決定についてのむすび
　
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　
　
第３　本願発明について
　
１　本願発明
　
　平成２５年４月２６日付けの手続補正は上記のとおり却下されたので、本願の請求項１〜４に係る発明は、平成２４年６月２９日付けの手続補正によって補正された特許請求の範囲の請求項１〜４に記載された事項により特定されるものであり、特に、請求項１に係る発明（以下「本願発明」という。）は、次のとおりである。
　
「遊技領域に設けられ、遊技球の進入が可能な第１始動領域と、
　前記遊技領域に設けられ、遊技球の進入が困難な第１の態様と前記第１の態様に比して遊技球の進入が容易な第２の態様とに制御可能な第２始動領域と、
　前記第２始動領域が所定の割合で前記第２の態様に制御される通常遊技状態、または該通常遊技状態よりも前記第２始動領域が前記第２の態様に制御されやすい特定遊技状態のいずれかの遊技状態にて遊技の進行を制御する遊技制御手段と、
　前記第１始動領域または前記第２始動領域へ遊技球が進入したことを条件として、特別遊技の実行の有無が含まれる遊技利益を決定する遊技利益決定手段と、
　前記遊技利益決定手段による前記第１始動領域へ遊技球が進入したことに基づく前記遊技利益の決定、または前記第２始動領域へ遊技球が進入したことに基づく前記遊技利益の決定のいずれか一方に基づいて、図柄表示手段において図柄を変動表示させてから当該決定した遊技利益の内容を示す決定図柄を停止表示させる図柄表示制御手段と、
　前記図柄表示制御手段により前記図柄が変動表示させられているときに前記第１始動領域に遊技球が進入すると、当該図柄の変動表示が終了するまで前記遊技利益決定手段による決定を保留する保留手段と、
　前記遊技利益決定手段により第１の特別遊技の実行有りと決定された場合、前記遊技領域に設けられた特別可変入賞装置を所定の開閉態様で開閉させる第１の特別遊技を実行する第１特別遊技実行手段と、
　前記第１特別遊技実行手段による前記第１の特別遊技の実行中に前記特別可変入賞装置に入球した遊技球が特定領域に進入すると、遊技者に有利な第２の特別遊技を実行する第２特別遊技実行手段と、
　前記遊技利益決定手段により第３の特別遊技の実行有りと決定された場合、遊技者に有利な第３の特別遊技を実行する第３特別遊技実行手段と、を備え、
　前記遊技利益決定手段は、
　前記第１始動領域への遊技球の進入によって前記遊技利益を決定した場合よりも、前記第２始動領域への遊技球の進入によって前記遊技利益を決定した場合の方が、前記第１の特別遊技の実行有りと決定する確率が高く、
　前記遊技制御手段は、
　前記第２の特別遊技または前記第３の特別遊技の終了後に、前記特定遊技状態にて遊技の進行を制御可能な特定遊技状態制御手段と、
　前記特定遊技状態制御手段が前記特定遊技状態にて遊技の進行を制御した場合、前記第２始動領域へ遊技球が進入したことによる前記図柄の変動表示の回数が所定回数に到達したことを条件に前記通常遊技状態にて遊技の進行を制御する通常遊技状態制御手段と、を有することを特徴とする遊技機。」
　
２　引用刊行物
　
　これに対して、原査定の拒絶の理由に引用された刊行物１及びその記載事項は、前記第２　２で示したとおりである。
　
３　対比・判断
　
　本願発明は、上記第２　２で検討した本願補正発明から、「図柄表示制御手段」、「保留手段」、「第１特別遊技実行手段」、「第３特別遊技実行手段」、「遊技利益決定手段」、「通常遊技状態制御手段」に係る限定事項を削除したものである。
　
　そうすると、本願発明の特定事項を全て含み、さらに他の特定事項を付加したものに相当する本願補正発明が、上記第２　２に記載したとおり、当業者が刊行物１に記載された発明及び周知技術に基づいて容易に発明をすることができたものであるから、本願発明も、同様の理由により、当業者が刊行物１に記載された発明及び周知技術に基づいて容易に発明をすることができたものである。
　
　
４　むすび
　
　以上のとおり、本願の請求項１に係る発明は、当業者が刊行物１に記載された発明及び周知技術に基づいて容易に発明をすることができたものであるから、特許法第２９条第２項の規定により特許を受けることができない。
　
　したがって、その他の請求項に係る発明について検討するまでもなく、本願は拒絶すべきものである。
　
　
　よって、結論のとおり審決する。